(57)【特許請求の範囲】
【請求項１】
メニューを表すメニューアイコンおよびサブメニューを表すサブメニューアイコンを含んでなるアイコンを互いに関連付けて階層的に記憶する記憶手段と、
前記アイコンを表示する表示手段と、
第１の操作に応じて前記表示手段に表示されるメニューアイコンの種類を切り替え、第２の操作に応じて前記表示手段に表示されるメニューアイコンをサブメニューアイコンに切り替える操作スイッチとを備え、
前記記憶手段に記憶されたメニューアイコンの１つを前記表示手段の所定の基準位置に表示させ、前記メニューアイコンを前記基準位置に表示させた状態で、前記操作スイッチの第１の操作に応じて、前記基準位置とオフセットしたオフセット位置に前記メニューアイコンと同じまたは異なるメニューアイコンの１つを表示させ、前記操作スイッチの原位置への復帰により前記基準位置に表示されたメニューアイコンに代えて前記オフセット位置に表示されたメニューアイコンを表示させ、前記操作スイッチの第２の操作に応じて、前記基準位置に表示されたメニューアイコンに代えて同メニューアイコンと関連するサブメニューアイコンの１つを表示させる表示制御手段とを備えたことを特徴とする車両用操作画面表示装置。
【請求項２】
前記操作スイッチは、乗員の指の触れを検出する触れ検出手段を備え、前記第１の操作としての上下方向の傾動操作、または前記第２の操作としての原点位置での前後方向の押動操作により入力許容状態となり、かつ非操作時に原点位置に復帰可能なレバー式のスイッチであり、
前記表示制御手段は、前記触れ検出手段により乗員の指の触れが検出されたとき前記メニューアイコンの１つを前記表示手段の所定の基準位置に表示させるように設定されている請求項１に記載の車両用操作画面表示装置。
【請求項３】
前記表示制御手段は、前記オフセット位置に前記メニューアイコンの１つを表示させるとき、最初は前記基準位置に表示されたメニューアイコンと同じメニューアイコンを前記表示手段に表示させ、前記操作スイッチの操作位置が保持されるとき、前記基準位置に表示されたメニューアイコンと異なるメニューアイコンを前記表示手段に順次表示させるように設定されている請求項２に記載の車両用操作画面表示装置。
【請求項４】
前記表示制御手段は、前記オフセット位置に前記メニューアイコンの１つを表示させるとき、そのメニューアイコンが前記基準位置から前記オフセット位置に向けて移動する動画の態様で表示させ、前記基準位置に表示されたメニューアイコンに代えて前記オフセット位置に表示されたメニューアイコンを同基準位置に表示させるとき、そのメニューアイコンが前記オフセット位置から前記基準位置に向けて移動する動画の態様として表示させる請求項２または３に記載の車両用操作画面表示装置。
【請求項５】
メニューを表すメニューアイコンおよびサブメニューを表すサブメニューアイコンを含んでなるアイコンを互いに関連付けて階層的に記憶する記憶手段と、
前記アイコンを表示する表示手段と、
第１の操作に応じて前記表示手段に表示されるメニューアイコンの種類を切り替え、第２の操作に応じて前記表示手段に表示されるメニューアイコンをサブメニューアイコンに切り替える操作スイッチとを備え、
前記記憶手段に記憶されたメニューアイコンの１つを前記表示手段の所定の基準位置に表示させ、前記操作スイッチの第１の操作に応じて、前記基準位置から斜め方向に僅かな量だけずれた斜め近傍位置に前記メニューアイコンと同じまたは異なるメニューアイコンの１つを移動させ、その移動後に該基準位置に復帰させ、前記操作スイッチの第２の操作に応じて、前記基準位置に表示されたメニューアイコンに代えて同メニューアイコンと関連するサブメニューアイコンの１つを表示させる表示制御手段とを備えたことを特徴とする車両用操作画面表示装置。
【請求項６】
前記操作スイッチは、乗員の指の触れを検出する触れ検出手段を備え、前記第１の操作としての上下方向の傾動操作、または前記第２の操作としての原位置での前後方向の押動操作によりスイッチ入力を許容し、かつ非操作時に原位置に復帰可能なレバー式のスイッチであり、
前記表示制御手段は、前記触れ検出手段により乗員の指の触れが検出されたとき前記メニューアイコンの１つを前記表示手段の所定の基準位置に表示させるように設定されている請求項５に記載の車両用操作画面表示装置。
【請求項７】
車両用操作画面表示装置は、さらに音出力手段を備えており、
前記表示制御手段は、前記表示手段にて画面が遷移する毎に前記音出力手段に音を出力させるように設定されている請求項１〜６のいずれか１項に記載の車両用操作画面表示装置。
【発明の詳細な説明】
【技術分野】
【０００１】
本発明は、車両用操作画面表示装置に関し、特に操作スイッチの操作に応じて、例えば車両状態を各種の設定モードに変更するためのメニュー画面が表示手段に表示されるように構成されている車両用操作画面表示装置に関する。
【背景技術】
【０００２】
この種の車両用操作画面表示装置として、例えば下記特許文献１に記載されているように、メニューを表すメニューアイコンおよびサブメニューを表すサブメニューアイコンを含んでなるアイコンを互いに関連付けて階層的に記憶する記憶手段と、前記アイコンを表示する表示手段と、操作スイッチの操作に応じて前記記憶手段に記憶された前記アイコンを前記表示手段に表示させる表示制御手段とを備えたものが知られている。この特許文献１に記載された車両用操作画面表示装置では、操作スイッチの操作に応じて、メニューを表す複数のアイコンが縦方向あるいは横方向に並んだ状態で表示手段に表示されるようになっている。
【特許文献１】特開２００４−２４０４９９号公報
【発明の開示】
【発明が解決しようとする課題】
【０００３】
しかしながら、上記特許文献１に記載された車両用操作画面表示装置では、複数のアイコンの中から所望のアイコンを選択しなければならない。このため、ユーザが短時間でアイコンを識別することが困難であるので、車両の走行中にユーザが操作画面を注視する事態を招き易く、安全上好ましくないという問題があった。
【０００４】
本発明は、上記問題に対処するためになされたものであり、その目的は、ユーザが短時間でアイコンを識別することができ、しかも操作負担を軽減可能な車両用操作画面表示装置を提供することにある。
【０００５】
上記目的を達成するため、本発明の車両用操作画面表示装置は、メニューを表すメニューアイコンおよびサブメニューを表すサブメニューアイコンを含んでなるアイコンを互いに関連付けて階層的に記憶する記憶手段と、前記アイコンを表示する表示手段と、第１の操作に応じて前記表示手段に表示されるメニューアイコンの種類を切り替え、第２の操作に応じて前記表示手段に表示されるメニューアイコンをサブメニューアイコンに切り替える操作スイッチとを備え、前記記憶手段に記憶されたメニューアイコンの１つを前記表示手段の所定の基準位置に表示させ、前記メニューアイコンを前記基準位置に表示させた状態で、前記操作スイッチの第１の操作に応じて、前記基準位置とオフセットしたオフセット位置に前記メニューアイコンと同じまたは異なるメニューアイコンの１つを表示させ、前記操作スイッチの原位置への復帰により前記基準位置に表示されたメニューアイコンに代えて前記オフセット位置に表示されたメニューアイコンを表示させ、前記操作スイッチの第２の操作に応じて、前記基準位置に表示されたメニューアイコンに代えて同メニューアイコンと関連するサブメニューアイコンの１つを表示させる表示制御手段とを備えたことを特徴とする。
【０００６】
この場合、前記操作スイッチは、例えば、乗員の指の触れを検出する触れ検出手段を備え、前記第１の操作としての上下方向の傾動操作、または前記第２の操作としての原点位置での前後方向の押動操作により入力許容状態となり、かつ非操作時に原点位置に復帰可能なレバー式のスイッチであり、前記表示制御手段は、前記触れ検出手段により乗員の指の触れが検出されたとき前記メニューアイコンの１つを前記表示手段の所定の基準位置に表示させるように設定されているとよい。また、前記表示制御手段は、例えば、前記オフセット位置に前記メニューアイコンの１つを表示させるとき、最初は前記基準位置に表示されたメニューアイコンと同じメニューアイコンを前記表示手段に表示させ、前記操作スイッチの操作位置が保持されるとき、前記基準位置に表示されたメニューアイコンと異なるメニューアイコンを前記表示手段に順次表示させるように設定されているとよい。
【０００７】
この車両用操作画面表示装置では、表示制御手段により、メニューアイコンの１つが表示手段の所定の基準位置に表示される。操作スイッチの第１の操作に応じて、オフセット位置にメニューアイコンと同じまたは異なるメニューアイコンの１つが表示される。また、操作スイッチの原点位置への復帰に伴って、基準位置に表示されたメニューアイコンに代えてオフセット位置に表示されたメニューアイコンが表示される。そして、操作スイッチの第２の操作に応じて、基準位置に表示されたメニューアイコンに代えて同メニューアイコンと関連するサブメニューアイコンの１つが表示される。
【０００８】
このため、表示手段に表示されるアイコン数は最大でも２つであるので、ユーザによるアイコンの認知時間が短くなって、車両の走行中の操作に際して、安全性を良好に確保することが可能である。また、操作スイッチによる操作も極めてシンプルに構成することができ、操作負担を良好に軽減することも可能である。
【０００９】
本発明の実施に際して、前記表示制御手段は、前記オフセット位置に前記メニューアイコンの１つを表示させるとき、そのメニューアイコンが前記基準位置から前記オフセット位置に向けて移動する動画の態様で表示させ、前記基準位置に表示されたメニューアイコンに代えて前記オフセット位置に表示されたメニューアイコンを同基準位置に表示させるとき、そのメニューアイコンが前記オフセット位置から前記基準位置に向けて移動する動画の態様として表示させることも可能である。これによれば、アイコンの選択操作を良好に視認することができる。
【００１０】
また、上記目的を達成するため、本発明の別の車両用操作画面表示装置は、メニューを表すメニューアイコンおよびサブメニューを表すサブメニューアイコンを含んでなるアイコンを互いに関連付けて階層的に記憶する記憶手段と、前記アイコンを表示する表示手段と、第１の操作に応じて前記表示手段に表示されるメニューアイコンの種類を切り替え、第２の操作に応じて前記表示手段に表示されるメニューアイコンをサブメニューアイコンに切り替える操作スイッチとを備え、前記記憶手段に記憶されたメニューアイコンの１つを前記表示手段の所定の基準位置に表示させ、前記操作スイッチの第１の操作に応じて、前記基準位置から斜め方向に僅かな量だけずれた斜め近傍位置に前記メニューアイコンと同じまたは異なるメニューアイコンの１つを表示させ、前記操作スイッチの第２の操作に応じて、前記基準位置に表示されたメニューアイコンに代えて同メニューアイコンと関連するサブメニューアイコンの１つを表示させる表示制御手段とを備えたことを特徴とする。この場合、前記操作スイッチは、例えば、乗員の指の触れを検出する触れ検出手段を備え、前記第１の操作としての上下方向の傾動操作、または前記第２の操作としての原位置での前後方向の押動操作によりスイッチ入力を許容し、かつ非操作時に原位置に復帰可能なレバー式のスイッチであり、前記表示制御手段は、前記触れ検出手段により乗員の指の触れが検出されたとき前記メニューアイコンの１つを前記表示手段の所定の基準位置に表示させるように設定されているとよい。
【００１１】
この車両用操作画面表示装置では、表示制御手段により、メニューアイコンの１つが表示手段の所定の基準位置に表示される。操作スイッチの第１の操作に応じて、基準位置に表示されたメニューアイコンに代えて同メニューアイコンと異なるメニューアイコンの１つが表示される。そして、操作スイッチの第２の操作に応じて、基準位置に表示されたメニューアイコンに代えて同メニューアイコンと関連するサブメニューアイコンの１つが表示される。
【００１２】
このため、表示手段に表示されるアイコン数は最大でも１つであるので、これによっても、ユーザによるアイコンの認知時間が短くなって、車両の走行中の操作に際して、安全性を良好に確保することが可能であり、また、操作負担を良好に軽減することも可能である。
【００１３】
また、本発明の実施に際して、車両用操作画面表示装置は、さらに音出力手段を備えており、前記表示制御手段は、前記表示手段にて画面が遷移する毎に前記音出力手段に音を出力させるように設定されていることも可能である。これによれば、アイコンの選択操作を聴覚上からも良好に確認することができる。
【発明を実施するための最良の形態】
【００１４】
ａ．第１実施形態
以下、本発明の第１実施形態について図面を用いて説明する。図１は同第１実施形態に係る車両用操作画面表示装置の全体を概略的に表す機能ブロック図であり、この車両用操作画面表示装置は、操作スイッチ１０と、操作スイッチ１０に制御部４０を介して接続されたメータ２０の操作画面表示部２１と、制御部４０に接続された描画データベース３０とを備えている。
【００１５】
操作スイッチ１０は、図２（ａ）に示すように、ステアリングホイールＳのスポーク部に組み込まれている。この操作スイッチ１０は、図２（ｂ）に示すように、例えば周知のレバー式のスイッチであり、ベース１１と、このベース１１に可変可能に保持されたレバー１２とを備えている。
【００１６】
レバー１２は、非操作時には原点位置にある（図２（ｂ）参照）。この状態から、ユーザがレバー１２を上方向の所定位置まで傾動操作（モーメンタリ操作）すると、接点が切り替わる（以下、この操作をＵｐ操作という）。また、ユーザがレバー１２を下方向の所定位置まで傾動操作すると、同様に接点が切り替わる（以下、この操作をＤｏｗｎ操作という）。Ｕｐ操作またはＤｏｗｎ操作された状態から、ユーザが手を離せば、レバー１２は付勢機構により原点位置に復帰する。レバー１２が原点位置に復帰した状態で、ユーザがレバー１２を前方向（垂直方向）に押し下げ操作（プッシュ操作）すると、接点がオンとなる（以下、この操作をＥｎｔｅｒ操作という）。Ｅｎｔｅｒ操作された状態から、ユーザが手を離せば、レバー１２は付勢機構により原点位置に復帰する。
【００１７】
レバー１２の操作面には、タッチセンサ１３が設けられている。タッチセンサ１３は、センサ検出部１４を介して制御部４０に接続されている。センサ検出部１４は、タッチセンサ１３によりユーザによる指の触れが検出されたとき、所定の検出信号を制御部４０に出力する。この検出信号が制御部４０に出力されると、メータ２０に設けられた操作画面表示部２１がオン状態となる。
【００１８】
操作画面表示部２１（表示手段）は、例えばデイスプレイデバイス（例えば、ＴＦＴを用いたカラーＬＣＤとバックライト）で構成されており、メータ２０の中央に配置されている。操作画面表示部２１は、制御部４０の制御指令に応じて、メニューを表すメニューアイコンまたはサブメニューを表すサブメニューアイコンを表示する。
【００１９】
また、メータ２０には、音出力部２２が設けられている。音出力部２２（音出力手段）は、操作画面表示部２１にて画面が遷移する毎に電子音（例えば、「ピッ」）を出力するように設定されている。
【００２０】
描画データベース３０（記憶手段）は、メニューを表すメニューアイコンデータとサブメニューを表すサブメニューアイコンデータを互いに関連付けて階層的に記憶している。具体的には、描画データベース３０には、例えば図３に示すように、第１階層３１（メニューアイコンデータからなる）として、TEL(Telephone)，LKA(Lane Keeping Assist)，ACC(Adaptive Cruise Control)，ASL(Automatic Speed Limiter)，走行系，表示系，その他が記憶されている。TEL，LKA，ACC，ASLの各メニューアイコンデータには、第２階層３２（サブメニューアイコンデータからなる）として、それぞれＯＮ，ＯＦＦが記憶されている。なお、図３の例では、TEL，LKA，ACC，ASLの各メニューアイコンデータには、第３階層３３以降のサブメニューアイコンデータが記憶されておらず、第２階層３２のサブメニューの内容で設定が完了するようになっている。
【００２１】
一方、メニューアイコンデータの１つである走行系には、第２階層３２として、VSC(Vehicle Stability Control)，DABC(Driver Assist Braking Control)，AVS(Adaptive Variable Suspension System)，ECT(Electronic Controlled Transmission)が記憶されている。VSC，DABC，AVS，ECTの各サブメニューアイコンデータには、さらにそれぞれに関連した第３階層３３のサブメニューアイコンデータが記憶されている。メニューアイコンデータの１つである表示系またはその他についても、走行系の場合と同様である。なお、図３の例では、走行系，表示系，その他の各メニューアイコンデータには、第４階層３４以降のサブメニューアイコンデータが記憶されておらず、第３階層３３のサブメニューの内容で設定が完了するようになっている（ただし、表示系のサブメニューである情報切替、オドトリップは、何れも表示コンテンツ切替画面へ遷移するためのメニューであるため、第３階層３３以降のサブメニューアイコンデータが記憶されていない）。
【００２２】
また、第１〜第４階層３１〜３４には、図４にて第１階層３１と第２階層３２を代表して示すように、上記した各メニューアイコンデータがメインアイコンデータ領域３１ａ，３２ａにそれぞれ記憶されるとともに、各メニューアイコンデータと同じ内容の分身アイコンデータが分身アイコンデータ領域３１ｂ，３２ｂにそれぞれ記憶されている。そして、操作画面表示部２１で表示されるメインアイコンと分身アイコンとの識別を容易にするため、メニュー名称を囲う枠内の背景色が異なる色（例えば、メインアイコンの背景色を黄色、分身アイコンの背景色を青色）で表示されるように、色データが付加されている。
【００２３】
図１に戻って、制御部４０は、ＣＰＵ，ＲＯＭ，ＲＡＭ，入出力回路，タイマ４１などからなるマイクロコンピュータを主要構成部品としており、イグニッションスイッチのオンにより、図５Ａおよび図５Ｂの画像表示プログラムを所定の短時間毎に繰り返し実行し、この画像表示プログラムの実行に従って操作画面表示部２１に上記した各アイコンを表示させる。この制御部４０は、機能的に見て、操作画面表示部２１にてメニューアイコンを動画方式で表示可能な画面遷移制御機能や、メインアイコンと分身アイコンを合成表示可能な画像データ生成機能を有している。
【００２４】
次に、上記のように構成した第１実施形態の作動について説明する。ドライバーがイグニッションキーを操作してイグニッションスイッチがオンすると、制御部４０は、図５Ａおよび図５Ｂの画像表示プログラムを所定の短時間毎に繰り返し実行する。
【００２５】
この画像表示プログラムは、ステップＳ１０にてその実行が開始され、ステップＳ１１にてタッチセンサ１３の検出状態を監視する。ユーザがタッチセンサ１３に触れなければ、ステップＳ１２にて「Ｎｏ」と判定し、ステップＳ１１，Ｓ１２の処理が繰り返し実行される。この待機状態では、操作画面表示部２１に何も表示されない（図６のＮｏ．１参照）。
【００２６】
ユーザがタッチセンサ１３に触れると、ステップＳ１２にて「Ｙｅｓ」と判定し、ステップＳ１３にて操作スイッチ１０による前回の操作履歴があるか否かを判定する。前回の操作履歴がない場合には、ステップＳ１３にて「Ｎｏ」と判定し、ステップＳ１４にて描画データベース３０の第１階層３１からメインアイコンデータのトップ項目であるTELを読み出す。
【００２７】
ここでは、前回の操作履歴があり、メインメニューとして、例えばLKAが選択されていた場合について説明する。この場合には、ステップＳ１３にて「Ｙｅｓ」、すなわち前回の操作履歴があると判定し、ステップＳ１５にて第１階層３１のメインアイコンデータ領域３１ａからメインアイコンデータLKAを読み出す。続くステップＳ１６の処理の実行により、音出力部２２による電子音の発生と共に、第１階層３１のメインアイコンLKAが操作画面表示部２１の中央（基準位置）に表示される（図６のＮｏ．２参照）。
【００２８】
次に、ステップＳ１７にてタッチセンサ１３および操作スイッチ１０のレバー１２の操作状態が監視される。いま、レバー１２が例えばＵｐ操作された場合について説明する。この場合には、ステップＳ１８にて「Ｙｅｓ」と判定し、図５ＢのステップＳ２６に移行する。ステップＳ２６では、第１階層３１の分身アイコンデータ領域３１ｂから、既にメインアイコンデータ領域３１ａから読み出されているメインアイコンデータLKAの分身である分身アイコンデータLKAを読み出す。
【００２９】
次に、ステップＳ２７にて、メインアイコンデータLKAと分身アイコンデータLKAを合成する。続くステップＳ２８の処理の実行により、音出力部２２による電子音の発生と共に、合成画像が操作画面表示部２１に表示される（図６のＮｏ．３参照）。この場合、分身アイコンLKAがメインアイコンLKAの位置する操作画面表示部２１の中央から上部に向けて移動する動画の態様で表示され、最終的には、分身アイコンLKAがメインアイコンLKAの上部（オフセット位置）に位置する静止画の態様で表示される。
【００３０】
ステップＳ２９では、タイマ４１の計時が開始される。レバー１２のＵｐ操作状態が所定時間（例えば、１秒）以上続くと、ステップＳ３１にて「Ｎｏ」、ステップＳ３２にて「Ｙｅｓ」と判定し、ステップＳ３３にて分身アイコンデータLKAをACCに更新する（図３、図４参照）。続くステップＳ３４の処理の実行により、音出力部２２による電子音の発生と共に、分身アイコンACCがメインアイコンLKAの上部に位置する合成画像が操作画面表示部２１に表示される。
【００３１】
ステップＳ３４の処理の実行後、タイマ４１の計時がリセットされて再び計時が開始される。レバー１２のＵｐ状態が保持されている場合には、ステップＳ３０〜Ｓ３５の処理が繰り返し実行され、操作画面表示部２１にて分身アイコンACCがASL、走行系、表示系、その他、TEL、LKAへと順次切り替わる。図６のＮｏ．４は、分身アイコンが「表示系」に更新されて操作画面表示部２１に表示された例を示している。
【００３２】
分身アイコンが順次切り替わる状態から、レバー１２が原点位置に復帰すると、ステップＳ３１にて「Ｙｅｓ」と判定し、続くステップＳ３６，Ｓ３７の処理の実行により、音出力部２２による電子音の発生と共に、分身アイコンで選択された例えば「表示系」がメインアイコンLKAの表示された操作画面表示部２１の中央に引き込まれる。すなわち、メインアイコンLKAに代えて、分身アイコンで選択された「表示系」に更新される（図６のＮｏ．５参照）。この場合、分身アイコンで選択された「表示系」が、上部位置からメインアイコンLKAの位置する操作画面表示部２１の中央に向けて移動する動画の態様で表示される。ステップＳ３７の処理後、図５ＡのステップＳ２０に移行する。
【００３３】
メインアイコンが分身アイコンで選択されたメニューに更新された状態で、レバー１２がＥｎｔｅｒ操作されると、ステップＳ２０にて「Ｙｅｓ」と判定し、ステップＳ２３以降の処理が実行される。ステップＳ２３では、分身アイコンで選択された例えば「表示系」が操作履歴に記憶される。したがって、次回のこの画像表示プログラムの実行時には、ステップＳ１５にて第１階層３１の「表示系」が操作画面表示部２１の中央に表示されるようになる。
【００３４】
ステップＳ２４では、「表示系」を第１階層３１とする第２階層３２からメインアイコンデータのトップ項目であるナイトビューを読み出す（図６のＮｏ．６参照）。以降の処理は、上記と同様である。そして、最終の階層に至ったとき、レバー１２をＥｎｔｅｒ操作すれば、そのサブメニューの内容が確定される。
【００３５】
なお、レバー１２を例えばＤｏｗｎ操作した場合（ステップＳ１９にて「Ｙｅｓ」）も、上記と同様にして、図５ＢのステップＳ２６以降の処理が実行される。ただし、この場合は、第１階層３１のメインアイコンまたは第２階層３２のメインアイコンが、上記とは逆回りに順次切り替わって表示される。すなわち、分身アイコンが例えばLKAからスタートした場合には、次にTELが表示され、以降は、その他、表示系、走行系、ASL、ACC、LKAへと順次切り替わるようになる。
【００３６】
なお、ユーザがタッチセンサ１３に触れているが、レバー１２を操作していない場合には、ステップＳ１８〜Ｓ２１にて何れも「Ｎｏ」と判定して、ステップＳ１７〜Ｓ２１の処理が繰り返し実行される。また、ユーザが操作スイッチ１０から手を離した場合には、ステップＳ２１にて「Ｙｅｓ」と判定し、ステップＳ２２にて操作画面表示部２１のアイコンが消去される。
【００３７】
以上の説明からも明らかなように、上記第１実施形態では、図５ＡのステップＳ１４〜Ｓ１６の処理により、メインアイコンの１つが操作画面表示部２１の中央に表示される。ステップＳ２６〜Ｓ２８の処理により、レバー１２のＵｐ操作またはＤｏｗｎ操作に応じて、メインアイコンの上部に分身アイコンが表示される。ステップＳ３３，Ｓ３４の処理により、レバー１２のＵｐ操作またはＤｏｗｎ操作が続けば、上部位置に表示された分身アイコンが順次切り替わる。そして、ステップＳ３１，Ｓ３６，Ｓ３７の処理により、レバー１２の原点位置への復帰に伴って、操作画面表示部２１の中央に表示されたメインアイコンに代えて分身アイコンで選択されたメインアイコンが表示される。そして、ステップＳ２０，Ｓ２４，Ｓ２５の処理により、レバー１２のＥｎｔｅｒ操作に応じて、操作画面表示部２１の中央に表示された新たなメインアイコンに代えて同メインアイコンと関連するサブメニューのメインアイコンの１つが表示される。
【００３８】
これにより、操作画面表示部２１に表示されるアイコン数は最大でも２つであるので、ユーザによるアイコンの認知時間が短くなって、車両の走行中の操作に際して、安全性を良好に確保することが可能である。また、操作スイッチ１０のレバー１２による操作も極めてシンプルに構成することができ、操作負担を良好に軽減することも可能である。
【００３９】
また、上記第１実施形態では、ステップＳ２８の処理により、操作画面表示部２１の上部に分身アイコンの１つが表示されるとき、その分身アイコンが操作画面表示部２１の中央から上部に向けて移動する動画の態様で表示される。また、ステップＳ３７の処理により、操作画面表示部２１の中央に表示されたメインアイコンに代えて上部位置に表示された分身アイコンが操作画面表示部２１の中央に表示されるとき、その分身アイコンが上部位置から操作画面表示部２１の中央に向けて移動する動画の態様として表示される。これにより、アイコンの選択操作を良好に視認することができる。
【００４０】
また、上記第１実施形態では、操作画面表示部２１にて画面が遷移する毎に音出力部２２により音が出力されるように設定されている。これにより、アイコンの選択操作を聴覚上からも良好に確認することができる。
【００４１】
ｂ．第２実施形態
上記第１実施形態では、図５ＢのステップＳ２７，Ｓ２８の処理により、図６のＮｏ．３で示したように、分身アイコンがメインアイコンの上部（オフセット位置）に位置する合成画像が操作画面表示部２１に表示されるように構成した。しかし、メインアイコンと分身アイコンとが同時に表示される場合に限らず、例えば図７に示すように、操作画面表示部２１の中央に位置するメインアイコンに代えて分身アイコンが表示されるように（メインアイコンの表示位置とほぼ同じ位置に分身アイコンが表示されるように）設定することも可能である。
【００４２】
この場合、分身アイコンが、例えばメインアイコンの位置する操作画面表示部２１の中央から斜め上方に僅かな量だけ移動し、その後直ちに操作画面表示部２１の中央に復帰するように設定するとよい（図７のＮｏ．３−２参照）。分身アイコンが操作画面表示部２１の中央に復帰した後は、ユーザがメニュー選択可能な状態であることがわかるように、アイコンの背景色が初期スタート時とは異なる色に変えられる。
【００４３】
レバー１２のＵｐ状態またはＤｏｗｎ状態が保持されている場合には、分身アイコンのメニューが切り替わり、新たに表示された分身アイコンが上記と同様に斜め上方に僅かな量だけ移動し、その後直ちに操作画面表示部２１の中央に復帰する。そして、この動作が一定周期で繰り返される（図７のＮｏ．４−２）。分身アイコンが順次切り替わる状態から、レバー１２が原点位置に復帰すると、ユーザがＥｎｔｅｒ入力可能な状態であることがわかるように、アイコンの背景色が初期スタート時の色に戻される（図７のＮｏ．５−２）。
【００４４】
この第２実施形態では、操作画面表示部２１に表示されるアイコンが最大でも１つであるので、上記第１実施形態と同様、ユーザによるアイコンの認知時間が短くなって、車両の走行中の操作に際して、安全性を良好に確保することが可能であり、また、操作負担を良好に軽減することも可能である。
【００４５】
上記第１および第２実施形態では、ステップＳ２６〜Ｓ２８の処理により、メインアイコンの上部に分身アイコンが表示されるとき、最初は操作画面表示部２１の中央に表示されたメインアイコンの分身アイコンが操作画面表示部２１の上部に表示されるように設定したが、操作画面表示部２１の中央に表示されたメインアイコンとは異なるメインアイコンの分身アイコンが操作画面表示部２１の上部に表示されるように設定してもよい。
【図面の簡単な説明】
【００４６】
【図１】本発明の第１および第２実施形態に係る車両用操作画面表示装置の全体を概略的に示したブロック図。
【図２】（ａ）は図１の操作スイッチの正面図。（ｂ）は図１の操作スイッチの仕様を示す説明図。
【図３】図１の描画データベースに記憶されているメニューアイコンデータおよびサブメニューアイコンデータの選択遷移仕様を示す説明図。
【図４】図３の描画データベースにて第１階層および第２階層に格納されるデータ形式を示す説明図。
【図５Ａ】図１の制御部によって実行される画像表示プログラムを示すフローチャート。
【図５Ｂ】図５Ａに続く画像表示プログラムを示すフローチャート。
【図６】本発明の第１実施形態に係り、ユーザによる操作スイッチの操作に対応した操作画面の遷移を示す説明図。
【図７】本発明の第２実施形態に係り、ユーザによる操作スイッチの操作に対応した操作画面の遷移（一部）を示す説明図。
【符号の説明】
【００４７】
１０  操作スイッチ
１１  ベース
１２  レバー
１３  タッチセンサ（触れ検出手段）
１４  センサ検出部
２０  メータ
２１  操作画面表示部（表示手段）
２２  音出力部（音出力手段）
３０  描画データベース（記憶手段）
３１〜３４  第１〜第４階層
３１ａ，３２ａ  メインアイコンデータ領域
３１ｂ，３２ｂ  分身アイコンデータ領域
４０  制御部（表示制御手段）
４１  タイマ
【図１】
0005057061.tif 000002
【図２】
0005057061.tif 000003
【図３】
0005057061.tif 000004
【図４】
0005057061.tif 000005
【図５Ａ】
0005057061.tif 000006
【図５Ｂ】
0005057061.tif 000007
【図６】
0005057061.tif 000008
【図７】
0005057061.tif 000009